(57)【要約】【課題】  実際の肉眼で観察される色ムラのみを相殺するように画像信号を正確に補正すること。【解決手段】  計測制御装置３３からの指令信号に基づいて画像信号供給装置５１からグレー画像に対応する画像信号Ｓ１を出力させるとともに、この画像信号Ｓ１は計測制御装置３３に取り込まれ、最終的に駆動信号Ｓ５に変換されて各液晶ライトバルブ２５ａ〜２５ｃにグレー画像を表示させる。この状態で、撮像装置３１を動作させて透過型スクリーン１８を撮影し、透過型スクリーン１８の輝度分布に相当する画像信号Ｓ１０を計測制御装置３３に出力する。計測制御装置３３は、撮像カメラ本体３１ｂからの画像信号Ｓ１０と、画像信号供給装置５１からの画像信号Ｓ１とを比較して、その差から輝度ムラ量を各色ごとに画素単位で検出する。制御回路２９ｅは、この輝度ムラ量をムラ補正回路２９ｃで使用する補正データとしてメモリ２９ｆに保存する。【選択図】  図２
2005150922.tif 000002
【特許請求の範囲】
【請求項１】
表示素子からの像光をスクリーンに投射する投射光学系を有するプロジェクタの表示状態の調整装置であって、
前記スクリーンの状態を撮影する撮像装置の本体部分と、
前記スクリーンと前記撮像装置の本体部分との間に配置される偏光解消手段と
を備える調整装置。
【請求項２】
前記撮像装置の本体部分は、誘電体多層膜からなるダイクロイックミラーによって像光を色分割する色分割手段と、当該色分割手段によって分割された各色の像光を個別に撮像する各色の撮像素子とを備えることを特徴とする請求項１記載の調整装置。
【請求項３】
前記スクリーンの撮像結果に基づいて前記表示素子の駆動信号の調整量を設定する調整装置をさらに備えることを特徴とする請求項１及び請求項２のいずれか一項記載の調整装置。
【請求項４】
前記表示素子は、照明光の偏光方向の制御によって表示画素の明るさを調整することを特徴とする請求項１から請求項３のいずれか一項記載の調整装置。
【請求項５】
前記偏光解消手段は、結晶部材を組み合わせることによって形成されたものであることを特徴とする請求項１から請求項４のいずれか一項記載の調整装置。
【請求項６】
前記プロジェクタは、前記投射光学系を経た像光が背面から投射される背面投射型スクリーンを備えることを特徴とする請求項１から請求項５のいずれか一項記載の調整装置。
【請求項７】
前記スクリーンには、偏光ムラを有する像光が投射されることを特徴とする請求項６記載の調整装置。
【請求項８】
前記投射光学系は、プラスチックレンズを備えることを特徴とする請求項１から請求項７のいずれか一項記載の調整装置。
【請求項９】
表示素子からの像光をスクリーンに投射する投射光学系を有するプロジェクタの表示状態の調整方法であって、
前記スクリーンと前記撮像装置の本体部分との間に偏光解消手段を配置する工程と、
前記スクリーンの状態を前記偏光解消手段を介して前記撮像装置の本体部分によって撮影する工程と
を備える調整方法。
【請求項１０】
前記スクリーンの撮像結果に基づいて前記表示素子の駆動信号の調整量を設定する工程をさらに備えることを特徴とする請求項９記載の調整方法。
【発明の詳細な説明】
【技術分野】
【０００１】
本発明は、液晶表示パネルその他の表示素子を用いて画像を投射するプロジェクタについてその表示状態を調整するための調整装置及び方法に関する。
【背景技術】
【０００２】
プロジェクタの表示状態の調整方法として、画像表示装置に一様な画像を表す画像信号を供給して、スクリーン上に表示された画像上の各位置における各色の光の出力レベルを計測し、計測した出力レベルに基づいて一様な画像を達成するためのデータ補正量を各色ごとに求めるものが存在する（特許文献１参照）。
【特許文献１】特開２００１−２０９３５８号公報
【発明の開示】
【発明が解決しようとする課題】
【０００３】
しかし、上記のような調整装置では、ビデオカメラ等の測定器を利用してスクリーン上のカラー画像を撮影するため、ビデオカメラによる色分割及び輝度計測が、計測対象である画像に内在する偏光状態の影響を受ける。つまり、プロジェクタのスクリーン上に投射される画像が偏光ムラを有する場合、ビデオカメラ等における分光の偏光依存性に起因して実際の肉眼で観察される色ムラとは大きく異なるムラが検出され、色データ補正量が不正確なものとなる。このような不正確な色データ補正量に基づいて画像信号を補正した場合、投射画像の色ムラが適正に補正されず、均一性が却って損なわれてしまう。なお、例えば背面投射型の液晶プロジェクタでは、各色の像光がそもそも偏光光となっているが、このような偏光光は、特にプラスチックレンズを含む投射レンズの通過に際して局所的に乱され、さらに、背面投射型のスクリーンの透過に際して部分的に乱される。このような、偏光状態の局所的若しくは部分的な乱れは、偏光ムラとしてビデオカメラ等によって極端な色ムラとして観察される。
【０００４】
そこで、本発明は、プロジェクタのスクリーン上に投射される画像が偏光ムラを有する場合であっても、実際の肉眼で観察される色ムラのみを相殺するように画像信号を正確に補正することができる、プロジェクタの表示状態の調整装置及び方法を提供することを目的とする。
【課題を解決するための手段】
【０００５】
上記課題を解決するため、本発明に係る調整装置は、表示素子からの像光をスクリーンに投射する投射光学系を有するプロジェクタの表示状態の調整装置であって、（ａ）スクリーンの状態を撮影する撮像装置の本体部分と、（ｂ）スクリーンと撮像装置の本体部分との間に配置される偏光解消手段とを備える。
【０００６】
上記調整装置では、スクリーンと撮像装置の本体部分との間に偏光解消手段が配置されるので、投射光学系を介してスクリーンに投射され視覚的に観察される像光が空間的に不均一な偏光分布すなわち偏光ムラを有する場合であっても、かかる偏光ムラがスクリーンの状態として撮像装置で撮影されることを回避できる。よって、例えばスクリーン上における当初の表示状態に対する補正量が実際の肉眼による観察結果をより正確に反映したものとなるので、このような正確な補正量に基づいて表示素子の動作状態を補正した場合、スクリーン上の投射画像の輝度ムラや色ムラが適正に補正され、スクリーン全体に亘って均一な明るさを実現することができる。
【０００７】
また、本発明の具体的態様では、上記調整装置において、撮像装置の本体部分が、誘電体多層膜からなるダイクロイックミラーによって像光を色分割する色分割手段と、当該色分割手段によって分割された各色の像光を個別に撮像する各色の撮像素子とを備える。この場合、撮像装置で撮影される画像を簡易に色分割して各色の画像として計測することができ、色ムラの検出が簡易なものとなる。なお、上述のような色分割手段を用いた撮像装置の本体部分では、かかる本体部分自体が通常偏光依存性を有することになり、スクリーンに投射され視覚的に観察される像光が偏光ムラを有する場合には、撮像装置で撮影される画像がスクリーンの色ムラだけでなく偏光ムラを含んだものとなる。
【０００８】
また、本発明の別の具体的態様では、スクリーンの撮像結果に基づいて表示素子の駆動信号の調整量を設定する調整装置をさらに備える。この場合、表示素子の駆動信号の調整量を調整装置によって設定することによって、表示素子の動作状態を色ムラがキャンセルされるように正確に補正することができる。
【０００９】
また、本発明のさらに別の具体的態様では、表示素子が照明光の偏光方向の制御によって表示画素の明るさを調整する。この場合、表示素子から射出される像光が偏光特性を有することになるので、投射光学系やスクリーンを経て像光の偏光方向が乱れ偏光ムラが発生しやすいが、かかる偏光ムラを相殺した画像検出によって、スクリーン全体に亘って均一な明るさを実現することができる。
【００１０】
また、本発明のさらに別の具体的態様では、偏光解消手段が結晶部材を組み合わせることによって形成されたものである。この場合、簡易確実に像光の偏光ムラ成分を除去することができる。
【００１１】
また、本発明のさらに別の具体的態様では、プロジェクタが投射光学系を経た像光が背面から投射される背面投射型スクリーンを備える。この場合、背面投射型スクリーンを像光が通過する際に偏光ムラが発生しやすいが、上述のように、かかる偏光ムラを相殺した画像検出が行われるので、スクリーン全体に亘って均一な明るさを実現することができる。
【００１２】
また、本発明のさらに別の具体的態様では、スクリーンに偏光ムラを有する像光が投射される。この場合、視覚的に観察される像光が偏光ムラを有することになるが、上述のように、かかる偏光ムラを相殺した画像検出が行われるので、スクリーン全体に亘って均一な明るさを実現することができる。
【００１３】
また、本発明のさらに別の具体的態様では、投射光学系がプラスチックレンズを備える。この場合、プラスチックレンズの非球面化等によって投射光学系の結像性能を高めることができる。ただし、プラスチックレンズでは残存する応力による複屈折によって局所的偏光ムラが発生する可能性があるが、上述のように、かかる偏光ムラを相殺した画像検出が行われるので、スクリーン全体に亘って均一な明るさを実現することができる。
【００１４】
また、本発明に係る調整方法は、本発明のさらに別の具体的態様では、表示素子からの像光をスクリーンに投射する投射光学系を有するプロジェクタの表示状態の調整方法であって、（ａ）スクリーンと撮像装置の本体部分との間に偏光解消手段を配置する工程と、（ｂ）スクリーンの状態を撮像装置の本体部分によって偏光解消手段を介して撮影する工程とを備える。
【００１５】
上記調整方法では、スクリーンと撮像装置の本体部分との間に配置される偏光解消手段を配置するので、投射光学系を介してスクリーンに投射され視覚的に観察される像光が空間的に不均一な偏光特性すなわち偏光ムラを有する場合であっても、かかる偏光ムラがスクリーンの状態として撮像装置で撮影されることを回避できる。よって、例えばスクリーン上における当初の表示状態に対する補正量が実際の肉眼による観察結果をより正確に反映したものとなるので、このような正確な補正量に基づいて表示素子の動作状態を補正した場合、スクリーン上の投射画像の輝度ムラや色ムラが適正に補正され、スクリーン全体に亘って均一な明るさを実現することができる。
【００１６】
また、本発明の具体的態様では、上記調整装置において、スクリーンの撮像結果に基づいて表示素子の駆動信号の調整量を設定する工程をさらに備える。この場合、表示素子の駆動信号の調整量を設定することによって、表示素子の表示状態を色ムラがキャンセルされるように正確に補正することができる。
【発明を実施するための最良の形態】
【００１７】
図１は、本発明の一実施形態に係る調整装置と、この調整装置による表示状態の調整対象であるプロジェクタとからなるシステムを説明する図である。すなわち、図示のシステムは、ビデオ画像、デジタル画像等である投射像を形成するためのプロジェクタ１０と、プロジェクタ１０の表示状態を輝度ムラや色ムラに関して調整するための調整装置３０とを備える。
【００１８】
このうちプロジェクタ１０は、背面投射によって画像を表示するリアプロジェクションタイプの装置であり、筐体であるケース１２の底部にプロジェクタ本体１４を備え、ケース１２内の背面側上部に反射ミラー１６を備え、ケース１２正面に透過型スクリーン１８を備える。プロジェクタ本体１４から射出された像光は、光軸ＯＡ１を中心として後方斜め上に進行し、反射ミラー１６で光軸ＯＡ２を中心として正面側に折り曲げられて透過型スクリーン１８に入射する。なお、これらプロジェクタ本体１４、反射ミラー１６、及び透過型スクリーン１８は、不図示の手段によってケース１２内に位置決めして固定されている。
【００１９】
一方、調整装置３０は、プロジェクタ１０のホワイトレベルをスクリーン部分の全面に亘って均一化するためのものであり、透過型スクリーン１８を撮影する撮像装置３１と、撮像装置３１の計測結果に基づいてプロジェクタ本体１４に設けた光変調部２５に入力すべき駆動信号の調整量を設定する計測制御装置３３とを備える。このうち前者の撮像装置３１は、偏光解消手段であるデポーラライザ３１ａと、本体部分である撮像カメラ本体３１ｂとからなり、デポーラライザ３１ａを介しての透過型スクリーン１８の像を撮影し、透過型スクリーン１８の表示状態の輝度分布に対応する画像信号を計測制御装置３３に出力する。このように撮像装置３１を利用して透過型スクリーン１８を観察する理由は、透過型スクリーン１８の表示が角度依存性を有することを考慮したものであり、透過型スクリーン１８を肉眼で観察した場合の輝度ムラ低減には透過型スクリーン１８をプロジェクタ１０の利用者の視点で観察することが望ましいからである。また、後者の計測制御装置３３は、撮像カメラ本体３１ｂの出力する画像信号に基づいて、光変調部２５に入力する駆動信号の調整量すなわち透過型スクリーン１８の例えば白色表示状態において残存する色ムラをキャンセルするような色ムラ補正量（補正データ）を適宜設定する。
【００２０】
図２は、図１に示すプロジェクタ本体１４及び調整装置３０の構造や機能を具体的に説明するブロック図である。まず、プロジェクタ本体１４は、光源光を発生する光源装置２１と、ダイクロイックミラー（不図示）等からなり光源装置２１からの光源光をＲＧＢの３色に分割する色分割光学系２３と、色分割光学系２３から射出された各色の照明光によってそれぞれ照明される３つの液晶ライトバルブ２５ａ，２５ｂ，２５ｃからなる光変調部２５と、光変調部２５からの各色の像光を合成するクロスダイクロイックプリズム２７と、クロスダイクロイックプリズム２７を経た像光を透過型スクリーン１８に投射するための投射光学系である投射レンズ２８と、光変調部２５等を適宜動作させるための回路部分２９とを備える。
【００２１】
プロジェクタ本体１４に組み込まれた回路部分２９は、画像コンバータ２９ａと、ガンマ補正回路２９ｂと、ムラ補正回路２９ｃと、液晶ライトバルブ駆動回路２９ｄと、制御回路２９ｅと、メモリ２９ｆとを備える。ここで、画像コンバータ２９ａは、外部に設けた画像信号供給装置５１から入力された画像信号Ｓ１に基づいて、それぞれが表示素子である各液晶ライトバルブ２５ａ，２５ｂ，２５ｃの駆動に適合するデジタル画像信号Ｓ２を発生する。このデジタル画像信号Ｓ２は、ガンマ補正回路２９ｂによって各液晶ライトバルブ２５ａ，２５ｂ，２５ｃの入出特性に応じて適宜非線形的に修正されてガンマ補正信号Ｓ３とされる。このガンマ補正信号Ｓ３は、ムラ補正回路２９ｃによって透過型スクリーン１８に出現する色ムラを相殺するような補正データの加算や積算処理が施されてムラ補正信号Ｓ４とされる。このムラ補正信号Ｓ４は、液晶ライトバルブ駆動回路２９ｄによって駆動信号Ｓ５とされて、各液晶ライトバルブ２５ａ，２５ｂ，２５ｃに出力され、これらに表示動作を行わせる。制御回路２９ｅは、画像コンバータ２９ａ、ガンマ補正回路２９ｂ、及びムラ補正回路２９ｃの動作を統括的に制御する。この際、例えばメモリ２９ｆに保存した変換データに基づいてガンマ補正回路２９ｂにおける信号処理が行われ、さらに、メモリ２９ｆに保存した修正データに基づいてムラ補正回路２９ｃにおける信号処理が行われる。
【００２２】
計測制御装置３３は、撮像カメラ本体３１ｂの出力する画像信号Ｓ１０と、画像信号供給装置５１の出力する画像信号Ｓ１とを比較して、その差から各色ごとに輝度ムラ量すなわち色ムラ量を画素単位で検出する。制御回路２９ｅは、計測制御装置３３から出力された色ムラ量に基づいて、ムラ補正回路２９ｃを動作させるための補正データを算出し、メモリ２９ｆに保存する。ここで、ムラ補正回路２９ｃ、制御回路２９ｅ、メモリ２９ｆ、及び画像信号供給装置５１は、撮像装置３１及び計測制御装置３３とともに調整装置３０を構成する。
【００２３】
図３は、撮像カメラ本体３１ｂの光学系部分の一例を説明する図である。この光学系部分は、色分割手段である３つのダイクロイックプリズム６１，６２，６３と、ＲＧＢの３色に対応する撮像素子である３つのＣＣＤ撮像素子６５，６６，６７とからなる。図示を省略する結像レンズを経て第１のダイクロイックプリズム６１の第１面６１ａに入射した像光は、この第１面６１ａに対向する第２面６１ｂに入射する。ＲＧＢを混合した像光のうちＢ光は、ダイクロイックコーティングを施した第２面６１ｂで反射されてさらに第１面６１ａで全反射されて第３面６１ｃから射出してＢ光用ＣＣＤ撮像素子６５に入射する。同様に、第２面６１ｂを透過して第２のダイクロイックプリズム６２の第１面６２ａに入射した像光すなわちＲ光及びＧ光は、この第１面６２ａに対向する第２面６２ｂに入射する。このうちＲ光は、ダイクロイックコーティングを施した第２面６２ｂで反射されてさらに第１面６２ａで全反射されて第３面６２ｃから射出してＲ光用ＣＣＤ撮像素子６６に入射する。さらに、第２面６２ｂを透過して第３のダイクロイックプリズム６３の第１面６３ａに入射したＧ光は、この第１面６３ａに対向する第２面６３ｂから射出してＧ光用ＣＣＤ撮像素子６７に入射する。
【００２４】
上記のようなダイクロイックプリズム６１，６２，６３からなる色分割光学系では、誘電体多層膜からなるダイクロイックコーティングを利用して色分割を行っているので、光量損失がほとんど生じないが、その偏光依存性に起因して透過型スクリーン１８上の偏光ムラが輝度ムラとして観察される。具体的に説明すると、ダイクロイックプリズム６１の第２面６１ｂや、ダイクロイックプリズム６２の第２面６２ｂに設けたダイクロイックコーティングの透過特性は大きな偏光依存性を有する。つまり、ダイクロイックコーティングの透過特性は、Ｓ偏光とＰ偏光とでエッジ波長に差が存在する。この結果、色分割後に各ＣＣＤ撮像素子６５，６６，６７で観察される各色の画像は、恰もバンドパスフィルタや特殊な偏光フィルタを介して観察したような状態となっており、計測画像に大きな偏光ムラが存在する場合、このような偏光ムラがその程度と一定の相関を有する輝度ムラ乃至色ムラとして観察される。つまり、偏光ムラが輝度ムラと誤認されて過補正が行われることになる。このため、本実施形態では、図１等に示すように撮像カメラ本体３１ｂの前段にデポーラライザ３１ａを配置して、偏光ムラが輝度ムラ乃至色ムラとして計測されることを防止している。
【００２５】
図４は、図１に示すプロジェクタ１０の偏光ムラを説明する図であり、図４（ａ）は、投射レンズ２８の射出端に配置される樹脂製レンズを光軸方向から見た図であり、図４（ｂ）は、透過型スクリーン１８に拡大投射された画像で観察される輝度ムラを示す図である。
【００２６】
図４（ａ）において、投射レンズ２８の樹脂製レンズ２８ａを偏光フィルタを介して観察した場合、周囲の４箇所に暗部ＤＡ１が観察される。このような暗部ＤＡ１は、樹脂製レンズ２８ａを射出成型する際の残留応力によって形成される。すなわち、樹脂製レンズ２８ａを射出成型した場合、冷却の過程でレンズ内部に応力が残留するが、このような残留応力よってレンズ内部に部分的な複屈折性が生じる。このような複屈折性は、樹脂製レンズ２８ａの結像特性に不均一な偏光依存性を与えることになるので、投射レンズ２８によって形成される像光は、空間的に不均一な偏光分布すなわち偏光ムラを有することになる。なお、樹脂製レンズ２８ａの残留応力は、屈折率の温度依存性の少ない樹脂を使用して樹脂製レンズ２８ａを成形した場合に発生しやすい。
【００２７】
また、図４（ｂ）において、透過型スクリーン１８を肉眼で観察した場合、周囲の４箇所に暗部ＤＡ２（或いは色ムラ部）が観察される。図２に示す液晶ライトバルブ２５ａ，２５ｂ，２５ｃから射出される像光は、一般にいずれかの方向の直線偏光となっているが、図４（ａ）に示すような樹脂製レンズ２８ａを通過すると、樹脂製レンズ２８ａの部分的複屈折性によって部分的に偏光が乱される。また、図２に示す透過型スクリーン１８や反射ミラー１６も偏光依存性を有する場合が多く、像光の空間的偏光分布が部分的に乱される。さらに、液晶ライトバルブ２５ａ，２５ｂ，２５ｃを射出した直後の各色の画像において偏光度に差がある場合があり、投射レンズ２８を構成する各要素レンズの入射出面で偏光特性が微妙に変化する場合もある。以上のような偏光の乱れは、視覚的にはほとんど認識されない。すなわち、投射レンズ２８、透過型スクリーン１８、反射ミラー１６等で偏光の乱れに起因する偏光ムラが形成された場合、通常肉眼感知できる輝度ムラとしてはほとんど観測できない程度のものであるが、偏光フィルタを介した場合、偏光ムラとして鮮明に観測される。このため、本実施形態では、透過型スクリーン１８と撮像カメラ本体３１ｂとの間であって撮像カメラ本体３１ｂの直前にデポーラライザ３１ａを配置している。これにより、透過型スクリーン１８を撮影する際の像光が偏光ムラを有する場合であっても、このような偏光ムラをデポーラライザ３１ａによって解消することができる。よって、撮像カメラ本体３１ｂによって撮影される透過型スクリーン１８上の画像は、偏光ムラのない画像であり、撮像カメラ本体３１ｂを肉眼で観察した状態に近い輝度ムラまたは色ムラが高精度の画像として検出される。
【００２８】
図５は、デポーラライザ３１ａの構造を説明する図である。このデポーラライザ３１ａは、公知のコルニュ・シュード・デポーラライザと呼ばれ、光軸ＯＡに対して４５゜傾斜した斜面ＳＰをそれぞれ有する右水晶部３１ｆと左水晶部３１ｇとを、両者の斜面ＳＰで接合したものである。ここで、一対の結晶部材である右水晶部３１ｆと左水晶部３１ｇとは、光学的に相対する性質を備えている。これにより、光軸ＯＡに沿って入射ビームがデポーラライザ３１ａに入射すると、直線偏光である入射ビームは、複雑でしかも空間的に連続的に変化する直線偏光状態に変換される。よって、デポーラライザ３１ａに入射したＲＧＢの各像光は、いずれも無偏光状態に変換されて射出ビームとして射出される。以上のような、デポーラライザ３１ａは、一段で配置する場合に限らず、複数段配置することができる。また、コルニュ・シュード・デポーラライザに限らず、様々なデポーラライザを用いることができる。
【００２９】
以下、図１や図２に示すプロジェクタ１０の全体的な動作について説明する。光源装置２１からの光源光は、色分割光学系２３によって色分割され、光変調部２５に設けた各色の液晶ライトバルブ２５ａ〜２５ｃに照明光としてそれぞれ入射する。各液晶ライトバルブ２５ａ〜２５ｃは、画像信号供給装置５１から出力された画像信号に応じて変調されて２次元的屈折率分布を有しており、照明光を２次元空間的に画素単位で変調する。このように、光変調部２５で各色ごとに変調された照明光すなわち像光は、クロスダイクロイックプリズム２７で合成されて投射レンズ２８に入射する。投射レンズ２８に入射した像光は、反射ミラー１６を経て透過型スクリーン１８に投影される。
【００３０】
次に、調整装置３０によるプロジェクタ１０の初期設定動作について説明する。まず、計測制御装置３３からの指令信号に基づいて画像信号供給装置５１からグレー画像に対応する画像信号Ｓ１を出力させるとともに、この画像信号Ｓ１を計測制御装置３３に取り込む。この画像信号Ｓ１は、画像コンバータ２９ａ、ガンマ補正回路２９ｂ、ムラ補正回路２９ｃ、及び液晶ライトバルブ駆動回路２９ｄを経て順次処理されて駆動信号Ｓ５に変換され、各液晶ライトバルブ２５ａ〜２５ｃにグレー画像に対応する表示を行わせる。この際、ムラ補正回路２９ｃの補正動作は停止させる。この状態で、撮像装置３１を動作させて透過型スクリーン１８を撮影し、透過型スクリーン１８の投射画像の輝度分布に相当する画像信号Ｓ１０を計測制御装置３３に出力する。計測制御装置３３は、撮像カメラ本体３１ｂからの画像信号Ｓ１０と、画像信号供給装置５１からの画像信号Ｓ１とを比較して、その差から輝度ムラ量を各色ごとに画素単位で検出する。さらに、計測制御装置３３は、この輝度ムラ量をムラ補正回路２９ｃで使用する補正データとして制御回路２９ｅを介してメモリ２９ｆに保存させる。
【００３１】
プロジェクタ１０の通常表示動作中において、調整装置３０は調整動作を行わない。具体的には、画像信号供給装置５１から、プロジェクタ本体１４の回路部分２９に透過型スクリーン１８に投射すべき画像信号Ｓ１を出力させ、画像コンバータ２９ａ、ガンマ補正回路２９ｂ、ムラ補正回路２９ｃ、液晶ライトバルブ駆動回路２９ｄ等で適当な信号処理を施して、各液晶ライトバルブ２５ａ，２５ｂ，２５ｃに表示動作を行わせる。この際、メモリ２９ｆに保存した修正データに基づいてムラ補正回路２９ｃにおける信号処理が行われる。これにより、透過型スクリーン１８全体に亘って均一な明るさの画像（ホワイトレベルが均一な画像）を投射することができる。
【００３２】
以上、実施形態に即して本発明を説明したが、本発明は上記実施形態に限定されるものではない。例えば、上記実施形態では、ムラ補正回路２９ｃをガンマ補正回路２９ｂの次段に組み込んだが、ムラ補正回路２９ｃを組み込む場所は、画像信号供給装置５１から液晶ライトバルブ駆動回路２９ｄにかけての任意の場所とすることができる。ただしその場合、ムラ補正回路２９ｃを組み込む場所に応じてメモリ２９ｆに保存した修正データの形式や量等も適宜調整する必要がある。
【００３３】
また、上記実施形態では、背面投写型のプロジェクタ１０に適用される調整装置３０について説明したが、正面から投写するタイプのプロジェクタであっても、スクリーンが偏光依存性を有する場合、上記と同様の原理によって偏光ムラが観測されるので、撮像カメラ本体３１ｂの前にデポーラライザ３１ａを挿入することで、肉眼観察に対応する輝度ムラを計測することができ、スクリーン全体に亘って均一な明るさの画像を投射することができる。
【図面の簡単な説明】
【００３４】
【図１】一実施形態に係る調整装置を説明する図である。
【図２】図１に示すプロジェクタ本体等を具体的に説明するブロック図である。
【図３】撮像カメラ本体の光学系部分の一例を説明する図である。
【図４】（ａ），（ｂ）は、投射レンズや透過型スクリーンを示す図である。
【図５】デポーラライザの一構造例を説明する図である。
【符号の説明】
【００３５】
１０…プロジェクタ、  １４…プロジェクタ本体、  １６…反射ミラー、  １８…透過型スクリーン、  ２１…光源装置、  ２３…色分割光学系、  ２５…光変調部、  ２５ａ，２５ｂ，２５ｃ…液晶ライトバルブ、  ２８…投射レンズ、  ２８ａ…樹脂製レンズ、  ２９…回路部分、  ２９ａ…画像コンバータ、  ２９ｂ…ガンマ補正回路、  ２９ｃ…ムラ補正回路、  ２９ｄ…液晶ライトバルブ駆動回路、  ２９ｅ…制御回路、  ２９ｆ…メモリ、  ３０…調整装置、  ３１…撮像装置、  ３１ａ…デポーラライザ、  ３１ｂ…撮像カメラ本体、  ３３…計測制御装置、  ６１，６２，６３…ダイクロイックプリズム、  ６５，６６，６７…撮像素子
【図１】
2005150922.tif 000003
【図２】
2005150922.tif 000004
【図３】
2005150922.tif 000005
【図４】
2005150922.tif 000006
【図５】
2005150922.tif 000007